(57)【要約】      （修正有）【課題】メンバ端末から入力したメッセージデータを、特定のメンバー端末間で共有しうる情報共有化システムに関する。【解決手段】ユーザ端末から入力された１または複数のメールアドレスデータを当該ユーザ端末の内部識別情報を特定するキーデータ群として記録する手段を有しており、ユーザ端末から情報共有化を希望する他のユーザ端末を指定するデータとして１つのメールアドレスデータが入力されると、上記他のユーザ端末のキーデータ群に含まれるメールアドレスデータと比較して、一致すると双方のユーザ端末の内部識別情報と共に記録されたデータを共有化するために前記内部識別情報を関連づける手段とを有する。【選択図】図２
0003136380.tif 000002
【実用新案登録請求の範囲】
【請求項１】
サーバに登録されたユーザ端末から入力された情報を記録し、指定されたユーザ端末間で上記情報を共有化することができる情報共有化システムにおいて、
サーバが、
ユーザ端末からの登録要求に対して該ユーザ端末を特定するための１つの内部識別番号を付与する手段と、
ユーザ端末から入力されたメッセージデータを上記内部識別情報と共に記録する手段と、
ユーザ端末から入力された１または複数のメールアドレスデータを当該ユーザ端末の内部識別情報を特定するキーデータ群として記録する手段と、
ユーザ端末から情報共有化を希望する他のユーザ端末を指定するデータとして１つのメールアドレスデータが入力されると、上記他のユーザ端末のキーデータ群に含まれるメールアドレスデータと一致するか否か判定する手段と、
一致した場合に、双方のユーザ端末の内部識別情報と共に記録されたデータを共有化するために前記内部識別情報を関連づける手段とを有することを特徴とする情報共有化システム。
【請求項２】
ユーザ端末がメール機能によりサーバに空メールを送信すると、サーバは空メールのメールアドレスを基にユーザ端末の内部識別情報を検索して、ユーザ端末の登録の有無を確認する手段と、
ユーザ端末が登録されている場合に、サーバは前記ユーザ端末に対してワンタイムパスワードとして機能するメールアドレスを生成し、メール機能により前記ユーザ端末に返信する手段と、
サーバからの返信メールのメールアドレスをパスワードとして、サーバのＷｅｂ画面の認証を行いうることを特徴とする請求項１に記載の情報共有化システム。
【請求項３】
ユーザ端末の内部識別情報に関連づけて、各メンバ端末間の情報共有化のためのグループ情報をメンバ端末の属性情報として記録する手段と、
ユーザ端末から入力された情報共有化を希望する他のユーザ端末を指定する１つのメールアドレスデータは他のユーザ端末の内部識別情報に変換されると破棄され、ユーザ端末から他のユーザ端末を指定するために名付けたニックネームが入力されると、上記ニックネームを情報共有するユーザを特定する識別子として記録する手段とを有してなることを特徴とする請求項１に記載の情報共有化システム。
【考案の詳細な説明】
【技術分野】
【０００１】
この考案は、メンバ端末から入力したメッセージデータを、特定のメンバー端末間で共有しうる情報共有化システムに関する。
【背景技術】
【０００２】
情報共有化システムとして、各種のソーシャルネットワークサービスやメーリングサービスが知られているが、いずれもユーザを特定するためにメールアドレスを利用する等の単一の識別情報を用いてる。
一方で、ユーザ個人であっても複数の携帯電話を所有していたり、複数のプロバイダを利用しており、メールアドレスを複数所有することが日常的になっている。
そのため、単一のメールアドレスデータをユーザの識別情報として登録し利用する場合、複数のメールアドレスのいずれかを知っていても特定のメールアドレスデータを知らないと、相手方を特定できない不具合がある。
特開２００２−１６７２１号のメッセージ送受信システムでは、メッセージデータの受け手となるユーザＩＤに複数のメールアドレスを関連づける構成が開示されているが、これは通信端末によって作成されたメッセージを、受け手が都合のよいときに、都合の良い端末で受け取ることができるようにするためで、情報共有化のためのユーザを特定するために用いるものではない。
また、情報共有化システムのサーバのＷｅｂ画面で認証を行う場合に、識別情報としてメールアドレスデータを入力するのは繁雑な作業となる。
【特許文献１】特開２００２−１６７２１号
【考案の開示】
【考案が解決しようとする課題】
【０００３】
この考案は上記実情に鑑みてなされたもので、その主たる課題は、ユーザ端末を特定するための内部識別情報に関連づけて複数のメールアドレスデータを記録しておき、そのいずれか１つがユーザ端末を特定するために指定された場合に内部識別情報により特定することができるようにして、利便性を高めた情報共有化システムを提供することにある。
この考案の別の課題は、上記複数のメールアドレスデータのいずれか１つのメールアドレスを用いてサーバ側に空メールを送信すると送信側のユーザ端末の内部識別情報が確認でき、サーバ側からワンタイムパスワードを返信することで、Ｗｅｂ画面での認証を容易にした情報共有化システムを提供することにある。
【課題を解決するための手段】
【０００４】
上記課題を解決するために、請求項１の考案では、
サーバに登録されたユーザ端末から入力された情報を記録し、指定されたユーザ端末間で上記情報を共有化することができる情報共有化システムにおいて、
サーバが、
ユーザ端末からの登録要求に対して該ユーザ端末を特定するための１つの内部識別番号を付与する手段と、
ユーザ端末から入力されたメッセージデータを上記内部識別情報と共に記録する手段と、
ユーザ端末から入力された１または複数のメールアドレスデータを当該ユーザ端末の内部識別情報を特定するキーデータ群として記録する手段と、
ユーザ端末から情報共有化を希望する他のユーザ端末を指定するデータとして１つのメールアドレスデータが入力されると、上記他のユーザ端末のキーデータ群に含まれるメールアドレスデータと一致するか否か判定する手段と、
一致した場合に、双方のユーザ端末の内部識別情報と共に記録されたデータを共有化するために前記内部識別情報を関連づける手段とを有することを特徴とする。
請求項２の考案では、
前記ユーザ端末がメール機能によりサーバに空メールを送信すると、サーバは空メールのメールアドレスを基にユーザ端末の内部識別情報を検索して、ユーザ端末の登録の有無を確認する手段と、
ユーザ端末が登録されている場合に、サーバは前記ユーザ端末に対してワンタイムパスワードとして機能するメールアドレスを生成し、メール機能により前記ユーザ端末に返信する手段と、
サーバからの返信メールのメールアドレスをパスワードとして、サーバのＷｅｂ画面の認証を行いうることを特徴とする。
請求項３の考案では、
ユーザ端末の内部識別情報に関連づけて、各メンバ端末間の情報共有化のためのグループ情報をメンバ端末の属性情報として記録する手段と、
ユーザ端末から入力された情報共有化を希望する他のユーザ端末を指定する１つのメールアドレスデータは他のユーザ端末の内部識別情報に変換されると破棄され、ユーザ端末から他のユーザ端末を指定するために名付けたニックネームが入力されると、上記ニックネームを情報共有するユーザを特定する識別子として記録する手段とを有してなることを特徴とする。
【考案の効果】
【０００５】
この考案は上記のように、ユーザが多数のメールアドレスを所有している場合であっても、他のユーザはそのうちの１つのメールアドレスを知っていれば、前記ユーザを特定することができ、情報の共有化のサービスを受けることができる。
また、ユーザは端末から空メールを送信することで、サーバはユーザを特定でき、ユーザ端末に対してワンタイムパスワードを発送するので、Ｗｅｂ認証を簡単に行うことができる。
【考案を実施するための最良の形態】
【０００６】
以下に、この考案の情報共有化システムの実施の形態を図面を参照しながら説明する。
【実施例１】
【０００７】
情報共有化システムは、図１に示すように、Ｗｅｂとメール機能とを連携させたシステムであり、サーバ１と、サービスを受けるコンピュータ端末や携帯電話などの多数のユーザ端末１０と、両者間を結ぶインターネットや携帯電話ネットワークなどの通信ネットワークＮとからなっている。
上記システムのサービスを受けるには、ユーザの登録が必要となる。
ユーザは、図２に示すように、ユーザ端末１０からサーバ１にアクセスしてＷｅｂ画面に入り、１つのメールアドレスデータを入力して、システムを利用するためのユーザの登録要求を行う。
【０００８】
サーバ１側は、これに基づいて上記ユーザを特定するため内部識別情報付与手段２により内部識別情報を付与し、ユーザ情報として前記のメールアドレスと内部識別情報とがデータベース等の記録部Ｍに記録する。
この内部識別情報はシステム側でユーザを特定するために使用されるもので、外部には表示されない。
【０００９】
上記内部識別情報が付与されたユーザは、ユーザ端末１０からＷｅｂ画面にアクセスして、メッセージの書き込みを行うことができ、書き込まれたメッセージは、メッセージ記録手段３により前記内部識別情報と共に記憶部Ｍに記録される。
【００１０】
また上記ユーザが、携帯電話やパソコンのプロバイダが提供する複数のメールアドレスを所有している場合には、ユーザ端末１０を介してこれらのメールアドレスデータが入力され、前記登録要求した際のメールアドレスデータと共にキーデータ群として内部識別情報と関連づけてキーデータ群記録手段４により記憶部Ｍに記録される。
従って、上記キーデータ群に含まれるメールアドレスデータは、いずれであっても内部識別情報を特定することができる。
【００１１】
次に、ユーザ間で情報共有化を行う場合、Ｗｅｂ画面上で、あるユーザＡに対して、他のユーザＢが情報の共有を要求すると、サーバは、ユーザＢに対してユーザＡのメールアドレスデータの入力を求める。
【００１２】
ユーザＢは、ユーザ端末（説明の便宜上１０’とする）から、ユーザＡに対してユーザＢが知っているいずれか１つのメールアドレスデータと、ユーザＢが付けたユーザＡに名付けたニックネームを入力する。
サーバでは、この入力されたメールアドレスデータが、前記ユーザＡのキーデータ群に記録されているメールアドレスデータのいずれかと一致するか否か判定手段５で判定する。
【００１３】
一致した場合には、ユーザＡの内部識別情報に変換され、前記ユーザＢが入力したメールアドレスデータは不要となる。
そして、サーバ１は、共有化手段６により、ユーザＢの内部識別情報と、前記ニックネームと、ユーザＡの内部識別情報とが情報共有化として関係づけられ、前記ユーザ情報に記録される。
ユーザ情報は上記データからなっているので、メールアドレスと個人特定情報とが簡単に結びつかず、個人情報の漏洩を防止できる。
【００１４】
これにより、システム内の記憶部に記録されたユーザＡの内部識別情報が付与されたメッセージデータに対して、ユーザＢは自己のユーザ端末から閲覧し、このメッセージに対する別のメッセージやコメントを入力して書き込むことができるようになる。
【００１５】
情報共有化が双方向の場合、ユーザＡも、ユーザＢの内部識別情報が付与されたメッセージデータに対して、自己のユーザ端末から閲覧し、このメッセージに対する別のメッセージやコメントを入力して書き込むことができる。
Ｗｅｂ画面に入るためのユーザ認証に、前記キーデータ群を用いることができる。
図３に示すように、ユーザがユーザ端末１０として携帯電話を用いる場合に、携帯電話からＷｅｂ画面にアクセスする際に、ユーザはサーバに対して空メールを送信する。
【００１６】
サーバは、上記空メールから発信先のメールアドレスデータを取得する。
次いで、この取得したメールアドレスデータが、ユーザのキーデータ群を検索して、一致するか否かをキーデータ群判定手段１１で判定する。
一致した場合には、空メールの発信者の内部識別情報が確認できるので、ワンタイムパスワードを含んだ返信メールを前記ユーザの携帯電話に送信する。
【００１７】
ここで、ワンタイムパスワードは、返信メールの本文中にリンク可能に入力されたものであってもよいし、サーバのメールアドレスであってもよい。
前者の場合は、メール本文中のリンクをクリックすることで、Ｗｅｂ画面に直接接続されるので、ユーザは特別の認証のための入力を要しない。
【００１８】
後者の場合は、サーバが、ユーザの内部識別情報を特定すると、ワンタイムパスワード生成手段１２により、ワンタイムパスワードを埋め込んだメールアドレスを生成し、そのメールアドレスを用いてユーザの携帯電話に返信メールが送信される。
【００１９】
返信を受けたユーザは、上記サーバ１のメールアドレスに返信することで自動的にＷｅｂ画面に直接接続されるようになっており、この場合もユーザは特別の認証のための入力を要しない。
携帯電話の場合、機種によっては、返信するとメール本文やメールの題名が記録されず消滅してしまう場合があるので、メールアドレスにパスワードを埋め込むことは極めて有益である。
【００２０】
情報を共有化するユーザとして登録されたユーザ間でも情報の共有化の程度が異なる場合に、これを管理するためにサーバではユーザをグループ化する。
このグループ化に際して、グループ毎に識別用の番号を付与し、各グループに属するユーザの内部識別情報を全て記録すると、グループ数が巨大な数となるし、各グループへの出入りを含めた情報の管理が極めて繁雑となる。
【００２１】
そこで、このシステムでは、ユーザの内部識別情報と共に、グループの識別用の番号をユーザの属性データとして記録する。
これにより、グループ毎に、情報を送受信する場合であっても、前記ユーザの属性データを検索して、所定グループの識別用の番号を有するユーザの内部識別情報を抽出して、簡便に情報の送受信を行うことができる。
この考案は、上記実施例に限定されるものではなく、要するにこの考案の要旨を変更しない範囲で種々設計変更しうる。
【図面の簡単な説明】
【００２２】
【図１】情報共有化システムのブロック図である。
【図２】情報共有化のためのブロック図である。
【図３】認証省略のためのブロック図である。
【符号の説明】
【００２３】
１    サーバ
２    内部識別情報付与手段
３    メッセージ記録手段
４    キーデータ群記録手段
５    判定手段
６    共有化手段
１０、１０’ユーザ端末
１１    キーデータ群判定手段
１２    ワンタイムパスワード生成手段
Ｎ    通信ネットワーク
Ｍ    記憶部
【図１】
0003136380.tif 000003
【図２】
0003136380.tif 000004
【図３】
0003136380.tif 000005